(57)【要約】【課題】簡単な装置構成により紙葉類を確実に方向変換することができる紙葉類処理装置を提供する。【解決手段】紙葉類処理装置は、紙葉類をフライング搬送させるフリー空間に向けて第１の方向に紙葉類を送り込む第１搬送部と、フリー空間の第１の方向の下流側で第１搬送部によってフリー空間に送り込まれた紙葉類の第１の方向の先端を突き当てる突き当て部材と、突き当て部材に先端を突き当てた紙葉類の跳ね返りを抑えるように、フリー空間の第１の方向の上流側で当該紙葉類の第１の方向の後端の戻りを押える押え部材と、突き当て部材に先端を突き当てて落下した紙葉類を載置して第１の方向と交差する第２の方向に搬送する第２搬送部と、を有する。【選択図】図６
2019064782.tif 000002
【特許請求の範囲】
【請求項１】
紙葉類をフライング搬送させるフリー空間に向けて第１の方向に紙葉類を送り込む第１搬送部と、
前記フリー空間の前記第１の方向の下流側で前記第１搬送部によって前記フリー空間に送り込まれた紙葉類の前記第１の方向の先端を突き当てる突き当て部材と、
前記突き当て部材に先端を突き当てた紙葉類の跳ね返りを抑えるように、前記フリー空間の前記第１の方向の上流側で当該紙葉類の前記第１の方向の後端の戻りを押える押え部材と、
前記突き当て部材に先端を突き当てて落下した紙葉類を載置して前記第１の方向と交差する第２の方向に搬送する第２搬送部と、
を有する紙葉類処理装置。
【請求項２】
前記押え部材は、前記フリー空間へ送り込まれた紙葉類の戻りを押えるように、当該紙葉類の後端に当接可能な当接面を有し、前記第１搬送部によって前記フリー空間へ送り込まれる紙葉類の搬送経路から前記当接面を退避させた退避位置と前記搬送経路上に前記当接面を配置した押え位置との間で回動可能に設けられている、
請求項１の紙葉類処理装置。
【請求項３】
前記当接面は、前記押え部材を前記押え位置に回動させた状態で、その上端が下端より前記フリー空間に向けて傾倒する方向に傾斜している、
請求項２の紙葉類処理装置。
【請求項４】
紙葉類をフライング搬送させるフリー空間に向けて第１の方向に紙葉類を送り込むとともに当該紙葉類を開く搬送・開き部と、
前記フリー空間の前記第１の方向の下流側で前記搬送・開き部によって開かれつつ前記フリー空間に送り込まれた紙葉類の前記第１の方向の先端を突き当てる突き当て部材と、
前記突き当て部材に先端を突き当てた紙葉類の跳ね返りを抑えるように、前記フリー空間の前記第１の方向の上流側で当該紙葉類の前記第１の方向の後端の戻りを押える押え部材と、
前記フリー空間へ中入れ媒体を送り込んで前記フリー空間において開かれた紙葉類に挿入する媒体処理部と、
前記中入れ媒体を挿入して前記突き当て部材に先端を突き当てて落下した紙葉類を載置して前記第１の方向と交差する第２の方向に搬出する搬出部と、
を有する紙葉類処理装置。
【発明の詳細な説明】
【技術分野】
【０００１】
本発明は、例えば、新聞などの紙葉類を処理する紙葉類処理装置に関する。
【背景技術】
【０００２】
従来、折込ちらしを丁合する丁合機や丁合した束を新聞に中入れするインサーターが知られている。この種の装置において、丁合束や新聞などの紙葉類を搬送する搬送機構は、搬送ガイドや搬送ベルトなどを有する。例えば、装置内で丁合束や新聞などの紙葉類の搬送方向を９０°変える場合、方向変換する位置へ紙葉類を搬送して一旦停止させ、その後搬送ベルトなどにより所望する方向へ当該紙葉類を搬送する。
【先行技術文献】
【特許文献】
【０００３】
【特許文献１】特開２００１−２９４３５３号公報
【発明の概要】
【発明が解決しようとする課題】
【０００４】
しかし、上述した従来の装置のように、搬送ガイドや搬送ベルトを用いて紙葉類の搬送方向を変える場合、所定の停止位置へ紙葉類を正確に停止させる必要があり、紙葉類の搬送制御が難しく搬送ジャムを生じる可能性がある。
【０００５】
本発明は、上記の点に鑑みてなされたもので、簡単な装置構成により紙葉類を確実に方向変換することができる紙葉類処理装置を提供することを目的とする。
【課題を解決するための手段】
【０００６】
本発明の紙葉類処理装置の一態様は、紙葉類をフライング搬送させるフリー空間に向けて第１の方向に紙葉類を送り込む第１搬送部と、フリー空間の第１の方向の下流側で第１搬送部によってフリー空間に送り込まれた紙葉類の第１の方向の先端を突き当てる突き当て部材と、突き当て部材に先端を突き当てた紙葉類の跳ね返りを抑えるように、フリー空間の第１の方向の上流側で当該紙葉類の第１の方向の後端の戻りを押える押え部材と、突き当て部材に先端を突き当てて落下した紙葉類を載置して第１の方向と交差する第２の方向に搬送する第２搬送部と、を有する。
【０００７】
また、本発明の紙葉類処理装置の一態様は、紙葉類をフライング搬送させるフリー空間に向けて第１の方向に紙葉類を送り込むとともに当該紙葉類を開く搬送・開き部と、フリー空間の第１の方向の下流側で搬送・開き部によって開かれつつフリー空間に送り込まれた紙葉類の第１の方向の先端を突き当てる突き当て部材と、突き当て部材に先端を突き当てた紙葉類の跳ね返りを抑えるように、フリー空間の第１の方向の上流側で当該紙葉類の第１の方向の後端の戻りを押える押え部材と、フリー空間へ中入れ媒体を送り込んでフリー空間において開かれた紙葉類に挿入する媒体処理部と、中入れ媒体を挿入して突き当て部材に先端を突き当てて落下した紙葉類を載置して第１の方向と交差する第２の方向に搬出する搬出部と、を有する。
【発明の効果】
【０００８】
本発明によれば、簡単な装置構成により紙葉類を確実に方向変換することができる紙葉類処理装置を提供することができる。
【図面の簡単な説明】
【０００９】
【図１】図１は、実施形態に係る丁合・中入れ装置を示す外観斜視図である。
【図２】図２は、図１の丁合・中入れ装置の丁合機構を示す概略図である。
【図３】図３は、図２の丁合機構から排出される丁合束の一例を示す外観斜視図である。
【図４】図４は、図１の新聞供給機構へ投入する新聞の折り畳み方を説明するための図である。
【図５】図５は、図１の新聞搬送・開き機構を拡大して示す概略図である。
【図６】図６は、図５の新聞搬送・開き機構に隣接した方向変換部を示す外観斜視図である。
【図７】図７は、図６の方向変換部の第１の実施形態に係る押え部材を示す概略図である。
【図８】図８は、図６の方向変換部の第２の実施形態に係る押え部材を示す概略図である。
【発明を実施するための形態】
【００１０】
以下、本発明を実施するための形態について図面を参照して説明する。  
図１は、本発明の一実施形態に係る丁合・中入れ装置１００（紙葉類処理装置）の外観を示す概略斜視図である。以下の説明では、後述する丁合機構１０から丁合束Ｔを排出する方向を前方（第２の方向）とし、各図において、この方向を矢印Ｙで示す。また、各図において、丁合・中入れ装置１００を前方から見て右方向（第１の方向）をＸ方向とし、鉛直上方向をＺ方向とし、それぞれ、矢印Ｘ、Ｚで示す。
【００１１】
丁合・中入れ装置１００は、丁合機構１０（媒体処理部）、新聞供給機構２０、新聞搬送・開き機構３０（搬送・開き部）、および集積・揃え機構４０を有する。新聞供給機構２０は、装置を前方から見て丁合機構１０の左側に隣接して配置され、新聞搬送・開き機構３０は、丁合機構１０および新聞供給機構２０の前方に配置されている。集積・揃え機構４０は、新聞搬送・開き機構３０のさらに前方に配置されている。
【００１２】
このため、集積・揃え機構４０の前方の下端には、作業員のつま先を入れるための凹所５０が設けられている。凹所５０を設けることで、作業員が丁合機構１０に近付き易くなり、例えば、丁合機構１０に対する折込ちらしｔの投入作業やジャム処理などを容易にできる。
【００１３】
丁合・中入れ装置１００は、この他に、装置を前方から見て集積・揃え機構４０の右側に隣接して、図示しないリフターを有する。集積・揃え機構４０において集積されて揃えられた複数組の丁合束Ｔ（図３）や組紙Ｋ（図示せず）は、図示しないリフターへ移載されて所望の高さへ上昇される。
【００１４】
また、新聞搬送・開き機構３０と集積・揃え機構４０の間には、Ｘ方向に搬送された新聞Ｐ（図４ｃ）の搬送方向を切り換えてＹ方向に送り出す方向変換部６０が設けられている。方向変換部６０では、新聞の搬送方向を切り換えるとともに、新聞搬送・開き機構３０によってＸ方向に搬送された新聞Ｐの間に、丁合機構１０によって丁合した丁合束Ｔを中入れする。このため、方向変換部６０は、新聞Ｐ（紙葉類）をＸ方向にフライング搬送するとともに丁合束Ｔ（中入れ媒体）をＹ方向にフライング搬送するためのフリー空間Ｆ（図６）を有する。
【００１５】
ここで言うフライング搬送とは、搬送対象となる新聞Ｐや丁合束Ｔに対して搬送力を付与しない、いわゆる宙に浮いた状態での搬送であり、搬送中に新聞Ｐや丁合束Ｔに接触する部材から摩擦力が作用するような状態も含むものとする。また、フリー空間Ｆは、後述する排出コンベア３９の上方の空間を指し、搬送力を付与しない状態で新聞Ｐや丁合束Ｔがフライング搬送される領域全体を指すものとする。
【００１６】
丁合・中入れ装置１００の各機構１０、２０、３０、４０は、図示しない制御部によってその動作タイミングなどが制御される。例えば、丁合・中入れ装置１００は、制御部によって、丁合モード、中入れモード、または丁合・中入れモードで動作される。
【００１７】
丁合モードでは、制御部は、丁合機構１０、および集積・揃え機構４０を動作させ、数種類の折込ちらしｔを重ねて折り紙ｓで挟んだ丁合束Ｔ（図３）を作成する。中入れモードでは、制御部は、丁合機構１０、新聞供給機構２０、新聞搬送・開き機構３０、および集積・揃え機構４０を動作させ、予め用意した複数組の丁合束Ｔを１組ずつ取り出して新聞Ｐに中入れして組紙Ｋを作成する。丁合・中入れモードでは、制御部は、丁合機構１０、新聞供給機構２０、新聞搬送・開き機構３０、および集積・揃え機構４０を動作させ、数種類の折込ちらしｔを重ねた丁合束Ｔを作成すると同時にこの丁合束Ｔを新聞Ｐに中入れして組紙Ｋを作成する。
【００１８】
図２は、丁合機構１０を示す概略図である。  
丁合機構１０は、Ｚ方向に長い略直方体形状の筐体１を有する。筐体１の前方（図示左側）および後方（図示右側）には、Ｚ方向に並んだ複数段の給紙トレイ２が設けられている。給紙トレイ２は、その一部が筐体１の前方または後方から突出して設けられているが、図１では給紙トレイ２の図示を省略してある。
【００１９】
各給紙トレイ２は、筐体１の内側に向けて下方に傾斜して取り付けられている。各給紙トレイ２には、数種類の折込ちらしｔが複数枚重ねて投入される。複数の給紙トレイ２を介して同じ種類の折込ちらしｔを投入することもできる。なお、筐体１の前方側の最下段にある給紙トレイ２ａは、折り紙ｓ（図３）を投入するための給紙トレイとして割り当てられている。折り紙ｓは、折込ちらしｔの一種であってもよい。
【００２０】
筐体１内には、筐体１の中心を通ってＺ方向に延びた搬送パス３が設けられている。搬送パス３は、前方の複数段の給紙トレイ２と後方の複数段の給紙トレイ２の間でＸＺ平面に沿って設けられている。つまり、各給紙トレイ２から所定のタイミングで取り出された折込ちらしｔが搬送パス３へ送り込まれて互いに重ねられる。そして、重なった状態の複数枚の折込ちらしｔが搬送パス３を介して下方へ搬送される。搬送パス３には、重なった状態の複数枚の折込ちらしｔを挟持して搬送するための複数組の搬送ローラ対４が設けられている。
【００２１】
各給紙トレイ２の傾斜方向の下端側、すなわち搬送パス３に近い中心寄りの端部には、それぞれ、第１給紙ローラ５および第２給紙ローラ６が設けられている。第１給紙ローラ５は、給紙トレイ２上に重ねて投入された複数枚の折込ちらしｔの最上端の折込ちらしｔに接触して回転する。第１給紙ローラ５より折込ちらしｔの取り出し方向の下流側に設けた第２給紙ローラ６は、捌き板７に２枚目以降の折込ちらしｔの先端を押し付けて２枚取りを防止する。折込ちらしｔの給紙方向に沿って第２給紙ローラ６の下流側には、搬送パス３へ折込ちらしｔを送り込む送りローラ対８が設けられている。
【００２２】
搬送パス３の下端には、折りローラ対９が配置されている。折りローラ対９は、そのニップが搬送パス３の延長線上に位置する姿勢で設けられている。つまり、搬送パス３を介して下方へ搬送された複数枚の折込ちらしｔが折りローラ対９のニップへ送り込まれるようになっている。
【００２３】
折り紙ｓを給紙するための給紙トレイ２ａの給紙方向の下流側（図示右側）には、給紙トレイ２ａを介して投入された折り紙ｓを折りローラ対９の上方へ送り込むための送りローラ対８ａが設けられている。折り紙ｓの給紙方向の先端には、折り紙ｓの先端を所定位置で係止する係止部１１が設けられている。係止部１１は、折り紙ｓの給紙方向の中央位置が折りローラ対９のニップに対向する位置で折り紙ｓを停止させる。折りローラ対９の斜め上方には、折りローラ対９のニップに向けて折り紙ｓの中央部を押し込むための折込ナイフ１２が配置されている。
【００２４】
つまり、各給紙トレイ２を介して投入された折込ちらしｔが搬送パス３で重ねられて折りローラ対９のニップへ送り込まれる。このとき、予め給紙された折り紙ｓの中央を折込ナイフ１２によって折り込んでおく。そして、重なった状態で搬送パス３を介して搬送された複数枚の折込ちらしｔが折り紙ｓの中央に押し込まれ、折りローラ対９の回転によって折り紙ｓの間に挟み込まれる。折りローラ対９を通過して２つ折りにされた折込ちらしの束、すなわち折り紙ｓの間に複数枚の折込ちらしｔを挟んだ丁合束Ｔは、搬送ベルト１３へ受け渡されて排出ローラ対１４を介して筐体１の前方に設けた排出口１５から排出される。
【００２５】
図３は、丁合機構１０の排出口１５から排出された丁合束Ｔの一例を示す外観斜視図である。丁合束Ｔは、その排出方向（Ｙ方向）の先端Ｔ−１側を折り紙ｓによって覆われた状態でＹ方向に排出される。なお、本実施形態では、折り紙ｓの排出方向に沿った一端ｓ−１（排出方向から見た右端部）が複数枚の折込ちらしｔの端部ｔ−１と略揃った状態で丁合束Ｔを排出するように、折り紙ｓのＸ方向に沿った給紙位置を調整可能となっている。
【００２６】
図４は、新聞供給機構２０の投入部２１を介して丁合・中入れ装置１００へ投入される新聞Ｐの折り畳み方を説明するための図である。新聞Ｐは、図４（ｃ）に示す折り目Ｐ−１が下を向き、且つ折り目Ｐ−２が装置の前方から見て右側になる立位の姿勢で投入部２１へ投入される。
【００２７】
新聞は、図４（ａ）に示すようにＡ１サイズの新聞紙を複数枚重ねた状態から中央の破線で図示矢印のように２つ折りにし、さらに図４（ｂ）に示すようにＡ２サイズの２つ折りの複数枚の新聞紙を中央の破線で矢印のように２つ折りにした状態（４つ折りにした状態）のもの（略Ａ３サイズに折り畳んだ新聞）（図４ｃ）を複数部重ねた状態で投入部２１へ投入される。投入部２１へ投入された新聞Ｐは、折り目Ｐ−１を先頭にして下方に取り出される。
【００２８】
次に、上述した丁合・中入れ装置１００による丁合モード時の動作について説明する。動作に先だち、オペレータは、丁合機構１０の各給紙トレイ２、２ａに折込ちらしｔを投入する。
【００２９】
そして、図示しない操作入力パネルを介して丁合モードによる処理コマンドが入力されると、所定の給紙トレイ２から折込ちらしｔが１枚ずつ搬送パス３へ給紙されて重ねられ、重ねられた複数枚の折込ちらしｔが搬送パス３を介して下方へ搬送され、複数枚の折込ちらしｔが折り紙ｓに挟み込まれた丁合束Ｔが排出口１５から排出される。
【００３０】
排出口１５から排出された丁合束Ｔは、方向変換部６０のフリー空間Ｆを通ってＹ方向にフライング搬送され、Ｙ方向に走行する排出コンベア３９上に落下し、排出コンベア３９の走行により集積・揃え機構４０へ順次排出されて積重ねられる。このとき、集積・揃え機構４０に設けた図示しないＸ方向叩き板およびＹ方向叩き板が動作され、集積される丁合束Ｔの端辺が揃えられる。
【００３１】
所定数の丁合束Ｔが排出口１５から排出されて、集積・揃え機構４０にて丁合束Ｔを積重ねながら端辺を揃えると、丁合機構１０の動作が停止されて、所定数の丁合束ＴがＸ方向へ排出されて図示しないリフターへ移載される。このとき、複数組の丁合束Ｔがその集積方向と異なるＸ方向に水平移動されるため、丁合束Ｔの姿勢が崩れにくい。
【００３２】
次に、上述した丁合・中入れ装置１００による丁合・中入れモード時の動作について説明する。なお、中入れモード時の動作は、折込ちらしの丁合動作が無いだけで丁合・中入れモードと同じであるため、ここではその説明を省略する。
【００３３】
丁合・中入れモードにおける動作に先だち、オペレータは、丁合機構１０の各給紙トレイ２、２ａに折込ちらしｔを投入して、新聞供給機構２０の投入部２１へ複数部の新聞Ｐを投入する。
【００３４】
この状態で、図示しない操作入力パネルを介して丁合・中入れモードによる処理コマンドが入力されると、新聞供給機構２０によって新聞Ｐが１部ずつ取り出され、上述した丁合モードのときと同様に丁合束Ｔが作成されて排出口１５から排出される。このとき、新聞Ｐを排出コンベア３９へ送り込むタイミングと丁合束Ｔを排出コンベア３９に向けて排出するタイミングが合うように、新聞Ｐの処理速度や取り出しタイミングが調整してある。
【００３５】
新聞供給機構２０によって新聞Ｐが新聞搬送・開き機構３０へ送り込まれると、当該新聞ＰがＸ方向に搬送され、新聞搬送・開き機構３０のＸ方向の下流側にある方向変換部６０のフリー空間Ｆへ送り込まれる。このとき、新聞Ｐは、フリー空間Ｆを通ってフライング搬送されるとともに、新聞Ｐの上側部分Ｐ１と下側部分Ｐ２が開かれる。そして、新聞Ｐの搬送タイミングに合わせてフリー空間Ｆへ送り込まれた丁合束Ｔが上側部分Ｐ１と下側部分Ｐ２との間の隙間に挿入され、組紙Ｋが形成されて排出コンベア３９上に落下されて載置される。
【００３６】
このようにして丁合束Ｔが新聞Ｐに中入れされた組紙Ｋは、排出コンベア３９を介して集積・揃え機構４０に送り込まれ、積重ねられながら端辺を揃えられる。所定数の組紙Ｋが集積されると、集積された所定数の組紙Ｋ（図示せず）がＸ方向へ排出され、図示しないリフターへ移載される。
【００３７】
以上のように、本実施形態の丁合・中入れ装置１００によると、丁合モードおよび中入れモードに加えて丁合・中入れモードによる動作が可能となる。丁合・中入れモードでは、新聞Ｐを開いて搬送すると同時に丁合束Ｔを作成して中入れするようにしたため、折込ちらしの丁合と同時に新聞Ｐへの中入れが可能となり、組紙Ｋを綺麗に揃えることができる。このため、例えば、折り紙ｓを用いずに複数枚の折込ちらしｔを重ねただけの丁合束Ｔを新聞Ｐに中入れすることもできる。
【００３８】
よって、本実施形態によると、オペレータによる作業負担を軽減でき、処理効率を高めることができる。さらに、本実施形態によると、従来のように丁合機で作成した丁合束をインサーター（丁合束を新聞に中入れする装置）に投入する必要がなく、オペレータによる作業コストを抑えることができる。
【００３９】
図５は、新聞搬送・開き機構３０を拡大した概略図である。  
新聞供給機構２０の投入部２１から取り出された新聞Ｐは、折り目Ｐ−１を先頭にして鉛直下方に導かれ、投入部２１と新聞搬送・開き機構３０との間に配置した上側送りベルト２５ａおよび下側送りベルト２５ｂ（以下、まとめて送りベルト対２５と称する場合もある）を介して、新聞搬送・開き機構３０へ送り込まれる。このとき、新聞Ｐは、上側送りベルト２５ａと下側送りベルト２５ｂとの間に挟まれて、装置の前方へ向けて湾曲されてＹ方向に搬送され、略水平な姿勢に姿勢変換されて新聞搬送・開き機構３０の搬送コンベア３１（第１搬送部）上に落下されて載置される。
【００４０】
新聞搬送・開き機構３０は、新聞供給機構２０のフロント側で送りベルト対２５の新聞排出部２５ｃより下方に配置された搬送コンベア３１を有する。搬送コンベア３１は、Ｘ方向に離間してＹ方向に互いに平行に延びた一対のベルトローラ３２、３３に無端状の搬送ベルト３４を巻回してＸ方向に張設した構造を有する。
【００４１】
搬送コンベア３１は、搬送ベルト３４の上面３４ａ（搬送ベルト３４の表面が上方を向く姿勢で走行する部位の上面）を略水平面に沿ってＸ方向に走行させる。搬送コンベア３１は、搬送ベルト３４の上面３４ａの新聞供給機構２０側の端縁がＹ方向の前方の端縁よりわずかに上方に傾斜する姿勢で設けられている。搬送コンベア３１の搬送ベルト３４の上面３４ａは、新聞供給機構２０から送り込まれて落下した新聞Ｐを載置する面として機能する。
【００４２】
搬送コンベア３１の上面３４ａの前方、すなわち搬送ベルト３４のＸ方向に沿った前方の端縁に対向する位置には、新聞供給機構２０の送りベルト対２５を介して搬送コンベア３１上に送り込まれた新聞ＰのＹ方向の先端（折り目Ｐ−１）を突き当てる突き当て板３５が設けられている。図５では、搬送コンベア３１を見易くするため、突き当て板３５を破線で示してある。
【００４３】
突き当て板３５は、Ｙ方向に送り込まれた新聞Ｐの先端を突き当てて、新聞ＰのＹ方向への搬送を停止させる。突き当て板３５に先端を突き当てた新聞Ｐは、自重により搬送ベルト３４の上面３４ａに落下する。突き当て板３５は、その上端が後方に傾く姿勢で傾斜して取り付けられている。
【００４４】
搬送コンベア３１がＸ方向に走行すると、新聞供給機構２０から送り込まれて搬送ベルト３４の上面３４ａ上に落下した新聞Ｐは、その搬送方向を９０°方向変換されてＸ方向に搬送される。
【００４５】
新聞搬送・開き機構３０は、搬送コンベア３１の搬送方向（Ｘ方向）下流側の端部に隣接した方向変換部６０のフリー空間Ｆに突出した吸着回動部材３７および分離板３８を備えている。吸着回動部材３７および分離板３８は、丁合機構１０の排出口１５の前方に対向する位置に配置されている。より詳細には、吸着回動部材３７および分離板３８は、排出ローラ対１４を介して丁合機構１０の排出口１５からＹ方向に排出された丁合束Ｔが、分離板３８の下面に沿って新聞Ｐの上側部分Ｐ１と下側部分Ｐ２の間に送り込まれるように位置決めされている。
【００４６】
吸着回動部材３７は、搬送ベルト３４の後方に片寄った位置で搬送ベルト３４の上面３４ａより下方に配置されている。吸着回動部材３７は、搬送コンベア３１を通過した新聞Ｐの下側部分Ｐ２（図４ｃ）に負圧を作用させて吸着し、搬送面から離れる方向（下方）に回動する。吸着回動部材３７は、新聞Ｐが搬送される度に動作し、新聞Ｐの下側部分Ｐ２が上側部分Ｐ１から少なくとも離間する短い時間だけ下側部分Ｐ２に負圧を作用させる。すなわち、吸着回動部材３７によって吸着されて下方に開かれた新聞Ｐの下側部分Ｐ２は、吸着回動部材３７による負圧が解消された後、自重によりさらに下方に開く。
【００４７】
分離板３８は、搬送ベルト３４の後方に片寄った位置で搬送コンベア３１の搬送方向（Ｘ方向）下流側の端部に隣接して配置され、搬送コンベア３１を通過した新聞Ｐの上側部分Ｐ１を下から支える。分離板３８は、搬送コンベア３１の搬送面と略同じ高さ位置で吸着回動部材３７より上方に配置されている。つまり、分離板３８は、新聞Ｐの下側部分Ｐ２を吸着して回動する吸着回動部材３７と協働して、新聞Ｐの上側部分Ｐ１と下側部分Ｐ２を分離するよう機能する。
【００４８】
すなわち、搬送ベルト３４の上面３４ａに載置されてＸ方向に搬送された新聞Ｐの搬送方向の先端が搬送コンベア３１の下流側の端部から外れてフリー空間Ｆにさしかかると、搬送ベルト３４の後方に片寄った位置で新聞Ｐの下側部分Ｐ２が吸着回動部材３７によって吸着されて下方に開かれる。このとき、新聞Ｐの上側部分Ｐ１は、分離板３８の上を通って移動し、新聞Ｐの上側部分Ｐ１と下側部分Ｐ２が分離される。そして、新聞Ｐの上側部分Ｐ１と下側部分Ｐ２が開かれたタイミングで、丁合機構１０の排出口１５から丁合束Ｔが排出され、上側部分Ｐ１と下側部分Ｐ２の間に挿入される。
【００４９】
Ｘ方向に沿った搬送コンベア３１の下流側で分離板３８（丁合束Ｔを新聞Ｐに中入れする中入れ位置）の下方には、排出コンベア３９（第２搬送部、搬出部）が設けられている。排出コンベア３９は、搬送コンベア３１と同様に、一対のベルトローラに無端状のベルトを巻回して張設したものであり、その上面３９ａがＹ方向に走行する向きで設けられている。つまり、排出コンベア３９による組紙Ｋの移動方向は、搬送コンベア３１による新聞Ｐの搬送方向とは約９０°異なる。
【００５０】
排出コンベア３９は、その上面３９ａが搬送コンベア３１の上面３４ａより低い位置に配置されている。このため、搬送コンベア３１によりＸ方向にフライング搬送された新聞Ｐが排出コンベア３９の上面３９ａに落下する。なお、搬送コンベア３１から排出コンベア３９へ落下する途中で、上述したように、新聞Ｐの上側部分Ｐ１と下側部分Ｐ２の間に丁合束Ｔが挿入されて組紙Ｋが形成される。つまり、組紙Ｋが排出コンベア３９の上面３９ａに落下する。
【００５１】
図６は、方向変換部６０を斜め上方から見た外観斜視図である。図７は、第１の実施形態に係る押えプレート６４（押え部材）を含む方向変換部６０の構成を示す概略図である。搬送コンベア３１と排出コンベア３９の間には、ＸＹ平面と平行な搬送ガイド６６が設けられている。以下、方向変換部６０の構成および作用について、図６および図７を参照して説明する。
【００５２】
方向変換部６０は、搬送コンベア３１によってフリー空間Ｆへ送り込まれた新聞ＰのＸ方向の先端（折り目Ｐ−２）を突き当てる突き当て壁６２（突き当て部材）を有する。また、方向変換部６０は、突き当て壁６２に先端を突き当てた新聞Ｐの逆方向への跳ね返り（戻り）を抑えるように当該新聞ＰのＸ方向の後端に当接可能な押えプレート６４を有する。
【００５３】
突き当て壁６２は、排出コンベア３９の上方のフリー空間ＦのＸ方向下流側に配置され、ＹＺ平面と略平行な平らな突き当て面６２ａを有する。突き当て面６２ａは、Ｙ方向に沿って、新聞ＰのＸ方向の先端と略同じ長さを有する。また、突き当て面６２ａは、Ｚ方向に沿って、少なくとも搬送コンベア３１の上面３４ａを超える高さを有する。突き当て壁６２は、搬送コンベア３１を介してＸ方向に搬送されてフリー空間Ｆへ送り込まれた新聞ＰのＸ方向の先端を突き当てて、新聞ＰのＸ方向への搬送を停止させる。
【００５４】
押えプレート６４は、例えば、１枚の金属板を形状加工して折り曲げた構造を有する。押えプレート６４は、Ｙ方向に延設した回動軸７１を中心に固定フレーム６１に対して回動可能に取り付けられている。押えプレート６４は、回動軸７１を介して固定フレーム６１に一端を回動自在に取り付けた上流側傾斜板部７２、上流側傾斜板部７２の他端に連続した平板部７４、および平板部７４に連続した下流側傾斜板部７６を一体に有する。押えプレート６４は、搬送コンベア３１のＸ方向の下流側で上面３４ａに対向して搬送ベルト３４のＹ方向の中心で固定フレーム６１に取り付けられている。
【００５５】
押えプレート６４は、搬送コンベア３１を介して新聞Ｐを搬送していない図７に示す状態で、図示の押え位置に配置されており、その自重により回動軸７１を中心に図示時計回り方向に付勢されている。例えば、この状態で、押えプレート６４の一部（例えば上流側傾斜板部７２）が搬送コンベア３１のＸ方向の下流側端部近くに押し付けられている。このとき、押えプレート６４による図示時計回り方向の押圧力は、適当な重り８０を平板部７４に乗せることで調整可能である。
【００５６】
押えプレート６４の上流側傾斜板部７２は、図７に示す押え位置に押えプレート６４を配置した状態で、ＸＹ平面に対してＸ方向に向けてわずかに下方に傾斜している。上流側傾斜板部７２が自重により搬送コンベア３１に接触しているため、図７の状態で搬送コンベア３１を介してＸ方向に新聞Ｐが搬送されると、新聞ＰのＸ方向の先端が上流側傾斜板部７２の下面に衝突する。そして、新聞Ｐの衝突による押圧力が上流側傾斜板部７２を持ち上げる方向に作用し、押えプレート６４が回動軸７１を中心に反時計回り方向に回動する。これにより、押えプレート６４が図示しない退避位置へ回動され、新聞Ｐの通過が許容される。
【００５７】
一方、押えプレート６４の回動の先端側にある下流側傾斜板部７６は、図７に示す押え位置に押えプレート６４を配置した状態で、鉛直方向に延びたＹＺ平面に対してその上端が下端よりＸ方向（フリー空間Ｆ側）にわずかに傾斜している。また、この状態で、下流側傾斜板部７６のフリー空間Ｆ側の当接面７８は、新聞Ｐの搬送経路上に配置されている。このため、フリー空間Ｆへ送り込まれた新聞ＰのＸ方向の後端が押えプレート６４を通過して押えプレート６４が図７に示す押え位置に戻った状態で、突き当て壁６２に先端が衝突した新聞Ｐが跳ね返って逆方向に戻った場合であっても、新聞ＰのＸ方向の後端を下流側傾斜板部７６の当接面７８に当接させることができ、新聞Ｐの跳ね返りを抑えることができる。
【００５８】
本実施形態では、図７に示す押え位置に押えプレート６４を配置した状態で、押えプレート６４の下流側傾斜板部７６の当接面７８と突き当て壁６２の突き当て面６２ａとの間のＸ方向に沿った距離を、新聞ＰのＸ方向の幅よりわずかに大きくしている。このため、突き当て壁６２の突き当て面６２ａに先端が衝突した新聞Ｐが逆方向に跳ね返る不具合をほとんど無くすことができ、フリー空間Ｆへ送り込まれた新聞ＰのＸ方向の停止位置を所望する位置に高精度に制御することができる。
【００５９】
よって、本実施形態によると、フリー空間Ｆへ送り込まれた新聞Ｐを所望する位置に確実に停止させることができ、排出コンベア３９に対する当該新聞Ｐの落下位置を高精度に制御することができる。このため、排出コンベア３９上に落下した新聞ＰをＹ方向に確実に搬出することができ、方向変換部６０にて、新聞Ｐの搬送ジャムを生じることなく、新聞Ｐの搬送方向を確実且つ安定して変えることができる。
【００６０】
また、本実施形態によると、上述したようにフリー空間Ｆへ送り込んだ新聞Ｐの間に丁合束Ｔを挿入するため、丁合束ＴのＸ方向に沿った挿入位置を安定させることができ、全ての組紙Ｋにおいて丁合束ＴのＸ方向の挿入位置を一定にすることができる。このため、後段の集積・揃え機構４０において複数部の組紙Ｋを集積したとき、複数部の組紙Ｋの端部をよりきれいに揃えることができる。
【００６１】
さらに、本実施形態によると、フリー空間Ｆを通してフライング搬送した新聞Ｐの先端が、方向変換部６０の突き当て壁６２の突き当て面６２ａに衝突した後、逆方向に戻ることがないため、Ｘ方向に送り込まれる後続の新聞Ｐと干渉（衝突）してジャムを生じる不具合を防止することができる。
【００６２】
図８は、第２の実施形態に係る押えプレート８２を含む方向変換部８０の構成を示す概略図である。方向変換部８０は、押えプレート８２の構造が第１の実施形態の押えプレート６４と異なる以外、上述した方向変換部６０と略同じ構造を有する。よって、ここでは、第１の実施形態と同様に機能する構成要素には同一符号を付してその詳細な説明を省略する。
【００６３】
押えプレート８２は、一端に回動軸７１を備えた上流側傾斜板部８４、上流側傾斜板部８４の他端に連続した平板部７４、および平板部７４に連続した下流側傾斜板部７６を有する。上流側傾斜板部８４は、第１の実施形態の押えプレート６４の上流側傾斜板部７２より短く且つ傾斜角度が大きくされている。また、押えプレート８２の回動軸７１のＹ方向の両端は、固定フレーム６１に垂設したブラケット８６のスリット８８に沿って上下方向（Ｚ方向）に移動可能に支持されている。
【００６４】
本実施形態では、上流側傾斜板部８４の傾斜角度を第１の実施形態より大きくしたため、Ｘ方向に搬送される新聞Ｐの先端が上流側傾斜板部８４に衝突した際の衝撃力が大きくなる。また、本実施形態では、上流側傾斜板部８４を短くして押えプレート８２を軽量化したため、新聞Ｐが衝突した際に押えプレート８２が跳ね上がり易くなる。このため、本実施形態においては、第１の実施形態と比較して、新聞Ｐが通過する際に押えプレート８２がより大きく振動する（あばれる）。
【００６５】
このため、本実施形態では、押えプレート８２の回動軸７１をスリット８８に沿って上下に移動可能に支持することで、押えプレート８２の振動を抑制するようにした。つまり、第２の実施形態の押えプレート８２を用いると、装置構成を小型軽量化することができ、その上、フリー空間Ｆへ送り込まれた新聞Ｐの跳ね返りを確実に防止することができ、第１の実施形態と同様の効果を奏することができる。
【００６６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００６７】
１…筐体、  ２、２ａ…給紙トレイ、  １０…丁合機構、  １５…排出口、  ２０…新聞供給機構、  ２１…投入部、  ２５…送りベルト対、  ３０…新聞搬送・開き機構、  ３１…搬送コンベア、  ３４…搬送ベルト、  ３４ａ…上面、  ３７…吸着回動部材、  ３８…分離板、  ３９…排出コンベア、  ４０…集積、揃え機構、  ６０…方向変換部、  ６２…突き当て壁、  ６２ａ…突き当て面、  ６４…押えプレート、  ７１…回動軸、  ７２…上流側傾斜板部、  ７４…平板部、  ７６…下流側傾斜板部、  ７８…当接面、  １００…丁合・中入れ装置、  Ｆ…フリー空間、  Ｋ…組紙、  Ｐ…新聞、  Ｐ−１、Ｐ−２…折り目、  ｓ…折り紙、  ｔ…折込ちらし、  Ｔ…丁合束。
【図１】
2019064782.tif 000003
【図２】
2019064782.tif 000004
【図３】
2019064782.tif 000005
【図４】
2019064782.tif 000006
【図５】
2019064782.tif 000007
【図６】
2019064782.tif 000008
【図７】
2019064782.tif 000009
【図８】
2019064782.tif 000010
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
紙葉類に第１の方向の搬送力を付与しない状態で当該紙葉類を前記第１の方向にフライング搬送させるフリー空間に向けて前記第１の方向に紙葉類を送り込む第１搬送部と、
前記フリー空間の前記第１の方向の下流側で前記第１搬送部によって前記フリー空間に送り込まれてフライング搬送されている紙葉類の前記第１の方向の先端を突き当てる突き当て部材と、
前記突き当て部材に先端を突き当てた紙葉類の跳ね返りを抑えるように、前記フリー空間の前記第１の方向の上流側で当該紙葉類の前記第１の方向の後端に当接して当該紙葉類の戻りを押える押え部材と、
前記突き当て部材に先端を突き当てた紙葉類を前記第１の方向と交差する第２の方向に搬送する第２搬送部と、
を有する紙葉類処理装置。
【請求項２】
前記押え部材は、前記フリー空間へ送り込まれた紙葉類の戻りを押えるように、当該紙葉類の後端に当接可能な当接面を有し、前記第１搬送部によって前記フリー空間へ送り込まれる紙葉類の搬送経路から前記当接面を退避させた退避位置と前記搬送経路上に前記当接面を配置した押え位置との間で移動可能に設けられている、
請求項１の紙葉類処理装置。
【請求項３】
前記当接面は、前記押え部材を前記押え位置に移動させた状態で、その上端が下端より前記フリー空間に向けて傾倒する方向に傾斜している、
請求項２の紙葉類処理装置。
【請求項４】
紙葉類をフライング搬送させるフリー空間に向けて第１の方向に紙葉類を送り込むとともに当該紙葉類を開く搬送・開き部と、
前記フリー空間の前記第１の方向の下流側で前記搬送・開き部によって開かれつつ前記フリー空間に送り込まれた紙葉類の前記第１の方向の先端を突き当てる突き当て部材と、
前記突き当て部材に先端を突き当てた紙葉類の跳ね返りを抑えるように、前記フリー空間の前記第１の方向の上流側で当該紙葉類の前記第１の方向の後端の戻りを押える押え部材と、
前記フリー空間へ中入れ媒体を送り込んで前記フリー空間において開かれた紙葉類に挿入する媒体処理部と、
前記中入れ媒体を挿入して前記突き当て部材に先端を突き当てた紙葉類を前記第１の方向と交差する第２の方向に搬出する搬出部と、
を有する紙葉類処理装置。
【手続補正２】
【補正対象書類名】明細書
【補正対象項目名】０００６
【補正方法】変更
【補正の内容】
【０００６】
本発明の紙葉類処理装置の一態様は、紙葉類に第１の方向の搬送力を付与しない状態で当該紙葉類を第１の方向にフライング搬送させるフリー空間に向けて第１の方向に紙葉類を送り込む第１搬送部と、フリー空間の第１の方向の下流側で第１搬送部によってフリー空間に送り込まれてフライング搬送されている紙葉類の第１の方向の先端を突き当てる突き当て部材と、突き当て部材に先端を突き当てた紙葉類の跳ね返りを抑えるように、フリー空間の第１の方向の上流側で当該紙葉類の第１の方向の後端に当接して当該紙葉類の戻りを押える押え部材と、突き当て部材に先端を突き当てた紙葉類を第１の方向と交差する第２の方向に搬送する第２搬送部と、を有する。
【手続補正３】
【補正対象書類名】明細書
【補正対象項目名】０００７
【補正方法】変更
【補正の内容】
【０００７】
また、本発明の紙葉類処理装置の一態様は、紙葉類をフライング搬送させるフリー空間に向けて第１の方向に紙葉類を送り込むとともに当該紙葉類を開く搬送・開き部と、フリー空間の第１の方向の下流側で搬送・開き部によって開かれつつフリー空間に送り込まれた紙葉類の第１の方向の先端を突き当てる突き当て部材と、突き当て部材に先端を突き当てた紙葉類の跳ね返りを抑えるように、フリー空間の第１の方向の上流側で当該紙葉類の第１の方向の後端の戻りを押える押え部材と、フリー空間へ中入れ媒体を送り込んでフリー空間において開かれた紙葉類に挿入する媒体処理部と、中入れ媒体を挿入して突き当て部材に先端を突き当てた紙葉類を第１の方向と交差する第２の方向に搬出する搬出部と、を有する。
【手続補正４】
【補正対象書類名】明細書
【補正対象項目名】００６６
【補正方法】変更
【補正の内容】
【００６６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
以下、本願の出願当初の特許請求の範囲に記載された発明を付記する。
［１］
紙葉類をフライング搬送させるフリー空間に向けて第１の方向に紙葉類を送り込む第１搬送部と、
前記フリー空間の前記第１の方向の下流側で前記第１搬送部によって前記フリー空間に送り込まれた紙葉類の前記第１の方向の先端を突き当てる突き当て部材と、
前記突き当て部材に先端を突き当てた紙葉類の跳ね返りを抑えるように、前記フリー空間の前記第１の方向の上流側で当該紙葉類の前記第１の方向の後端の戻りを押える押え部材と、
前記突き当て部材に先端を突き当てて落下した紙葉類を載置して前記第１の方向と交差する第２の方向に搬送する第２搬送部と、
を有する紙葉類処理装置。
［２］
前記押え部材は、前記フリー空間へ送り込まれた紙葉類の戻りを押えるように、当該紙葉類の後端に当接可能な当接面を有し、前記第１搬送部によって前記フリー空間へ送り込まれる紙葉類の搬送経路から前記当接面を退避させた退避位置と前記搬送経路上に前記当接面を配置した押え位置との間で回動可能に設けられている、
［１］の紙葉類処理装置。
［３］
前記当接面は、前記押え部材を前記押え位置に回動させた状態で、その上端が下端より前記フリー空間に向けて傾倒する方向に傾斜している、
［２］の紙葉類処理装置。
［４］
紙葉類をフライング搬送させるフリー空間に向けて第１の方向に紙葉類を送り込むとともに当該紙葉類を開く搬送・開き部と、
前記フリー空間の前記第１の方向の下流側で前記搬送・開き部によって開かれつつ前記フリー空間に送り込まれた紙葉類の前記第１の方向の先端を突き当てる突き当て部材と、  前記突き当て部材に先端を突き当てた紙葉類の跳ね返りを抑えるように、前記フリー空間の前記第１の方向の上流側で当該紙葉類の前記第１の方向の後端の戻りを押える押え部材と、
前記フリー空間へ中入れ媒体を送り込んで前記フリー空間において開かれた紙葉類に挿入する媒体処理部と、
前記中入れ媒体を挿入して前記突き当て部材に先端を突き当てて落下した紙葉類を載置して前記第１の方向と交差する第２の方向に搬出する搬出部と、
を有する紙葉類処理装置。
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
紙葉類に第１の方向の搬送力を付与しない状態で当該紙葉類を前記第１の方向にフライング搬送させるフリー空間に向けて前記第１の方向に紙葉類を送り込む第１搬送部と、
前記フリー空間の前記第１の方向の下流側で前記第１搬送部によって前記フリー空間に送り込まれてフライング搬送されている紙葉類の前記第１の方向の先端を突き当てる突き当て部材と、
前記フリー空間の前記第１の方向の上流側で前記第１搬送部によって前記フリー空間に向けて送り込まれる紙葉類を自重により前記第１搬送部に押し付ける位置と、前記突き当て部材に先端を突き当てた紙葉類の跳ね返りを抑えるように、前記フリー空間の前記第１の方向の上流側で当該紙葉類の前記第１の方向の後端に当接して当該紙葉類の戻りを押える位置と、の間で移動可能に設けた押え部材と、
前記突き当て部材に先端を突き当てた紙葉類を前記第１の方向と交差する第２の方向に搬送する第２搬送部と、
を有する紙葉類処理装置。
【請求項２】
前記押え部材は、前記フリー空間へ送り込まれた紙葉類の戻りを押えるように、当該紙葉類の後端に当接可能な当接面を有し、前記第１搬送部によって前記フリー空間へ送り込まれる紙葉類の搬送経路から前記当接面を退避させた退避位置と前記搬送経路上に前記当接面を配置した押え位置との間で移動可能に設けられている、
請求項１の紙葉類処理装置。
【請求項３】
前記当接面は、前記押え部材を前記押え位置に移動させた状態で、その上端が下端より前記フリー空間に向けて傾倒する方向に傾斜している、
請求項２の紙葉類処理装置。
【請求項４】
紙葉類をフライング搬送させるフリー空間に向けて第１の方向に紙葉類を送り込むとともに当該紙葉類を開く搬送・開き部と、
前記フリー空間の前記第１の方向の下流側で前記搬送・開き部によって開かれつつ前記フリー空間に送り込まれた紙葉類の前記第１の方向の先端を突き当てる突き当て部材と、
前記突き当て部材に先端を突き当てた紙葉類の跳ね返りを抑えるように、前記フリー空間の前記第１の方向の上流側で当該紙葉類の前記第１の方向の後端の戻りを押える押え部材と、
前記フリー空間へ中入れ媒体を送り込んで前記フリー空間において開かれた紙葉類に挿入する媒体処理部と、
前記中入れ媒体を挿入して前記突き当て部材に先端を突き当てた紙葉類を前記第１の方向と交差する第２の方向に搬出する搬出部と、
を有する紙葉類処理装置。
【手続補正２】
【補正対象書類名】明細書
【補正対象項目名】０００６
【補正方法】変更
【補正の内容】
【０００６】
本発明の紙葉類処理装置の一態様は、紙葉類に第１の方向の搬送力を付与しない状態で当該紙葉類を第１の方向にフライング搬送させるフリー空間に向けて第１の方向に紙葉類を送り込む第１搬送部と、フリー空間の第１の方向の下流側で第１搬送部によってフリー空間に送り込まれてフライング搬送されている紙葉類の第１の方向の先端を突き当てる突き当て部材と、フリー空間の第１の方向の上流側で第１搬送部によってフリー空間に向けて送り込まれる紙葉類を自重により第１搬送部に押し付ける位置と、突き当て部材に先端を突き当てた紙葉類の跳ね返りを抑えるように、フリー空間の第１の方向の上流側で当該紙葉類の第１の方向の後端に当接して当該紙葉類の戻りを押える位置と、の間で移動可能に設けた押え部材と、突き当て部材に先端を突き当てた紙葉類を第１の方向と交差する第２の方向に搬送する第２搬送部と、を有する。